(57)【要約】【課題】相互に近傍に配置された端末間のファイル転送をする場合、簡単な操作によるファイル転送システムを提供する。【解決手段】ネットワークを介して接続されるマウスを有する第１の端末と第２の端末間でファイルを転送するシステムにおいて、第２の端末は、マウス検出部と、第２の端末のファイル転送先属性情報をマウスに無線送信する送信部を有し、マウスは、第２の端末から無線により第２の端末のファイル転送先属性情報を受信する受信部と、当該受信部で受信する第１の端末から第２の端末のファイル転送先属性情報に基づきネットワークを介してファイルを転送するファイル転送システム。【選択図】図１
2009015681.tif 000002
【特許請求の範囲】
【請求項１】
画面に表示されるポインタを移動させ釦を操作して指示をする入力装置のマウスと、当該マウスと接続する表示画面を有するパーソナルコンピュータからなる第１の端末と、当該第１の端末と接続するネットワークと、当該ネットワークに接続し、当該ネットワークを介して当該第１の端末と接続する表示画面を有するパーソナルコンピュータからなる第２の端末とを備え、当該第１の端末のファイルを当該マウスにより当該第２の端末に当該ネットワークを介して転送するシステムにおいて、
当該第２の端末は、当該マウスを検出するマウス検出部と、当該第２の端末のファイル転送先属性情報を当該マウスに無線送信する送信部を有し、
当該マウスは、第２の端末から無線により当該第２の端末のファイル転送先属性情報を受信する受信部と、当該受信部で受信する当該第１の端末から当該第２の端末のファイル転送先属性情報に基づき当該ネットワークを介して当該第２の端末へ当該第１の端末のファイルを転送する指示をする転送指示部とを有することを特徴とするファイル転送システム。
【請求項２】
入力装置のマウスと、当該マウスと接続する第１の端末と、当該第１の端末と接続するネットワークと、当該ネットワークを介して当該第１の端末と接続する第２の端末とを備え、
当該第１の端末のファイルを当該マウスにより当該第２の端末に当該ネットワークを介して転送するシステムにおいて、
当該第２の端末は、当該マウスを検出するマウス検出部と、当該第２の端末のファイル転送先属性情報を当該マウスに無線送信する送信部を有し、
当該マウスは、第２の端末から無線により当該第２の端末のファイル転送先属性情報を受信する受信部と、当該受信部で受信する当該第１の端末から当該第２の端末のファイル転送先属性情報に基づき当該ネットワークを介して当該第２の端末へ当該第１の端末のファイルを転送する指示をする転送指示部とを有することを特徴とするファイル転送システム。
【請求項３】
画面に表示されるポインタを移動させ釦を操作して指示をする入力装置のポインティング装置と、当該ポインティング装置及び表示画面を有するパーソナルコンピュータからなる第１の端末と、当該第１の端末と接続するネットワークと、当該ネットワークに接続し、当該ネットワークを介して当該第１の端末と接続する表示画面を有するパーソナルコンピュータからなる第２の端末とを備え、当該第１の端末のファイルを当該ポインティング装置により当該第２の端末に当該ネットワークを介して転送するシステムにおいて、
当該第２の端末は、当該ポインティング装置を検出するポインティング装置検出部と、当該第２の端末のファイル転送先属性情報を当該ポインティング装置に無線送信する送信部を有し、
当該ポインティング装置は、第２の端末から無線により当該第２の端末のファイル転送先属性情報を受信する受信部と、当該受信部で受信する当該第１の端末から当該第２の端末のファイル転送先属性情報に基づき当該ネットワークを介して当該第２の端末へ当該第１の端末のファイルを転送する指示をする転送指示部とを有することを特徴とするファイル転送システム。
【発明の詳細な説明】
【技術分野】
【０００１】
本発明は、ファイル交換システムに関し、特に、パーソナルコンピュータに情報を入力するためのマウスその他のポインティング装置によりネットワークを介して接続されているパーソナルコンピュータからなる端末間のファイル転送システムに関するものである。
【背景技術】
【０００２】
従来、パーソナルコンピュータから成る端末からネットワークを介して接続されている近傍に配置されている他のパーソナルコンピュータから成る端末へファイル転送（特に、ファイル転送時の転送先情報の取得）を行うには、一般に、端末から共有サーバへ一度ファイルを転送し（共有サーバへのアクセスには、自分のネットワークドライブを開き、ファイルの受渡しをするため予め決めておいた共有サーバを探し出す必要がある）、その後、他の端末が共有サーバへアクセスし、ファイルを受信する。あるいは、他の端末のフォルダを共有フォルダにし、端末から共有フォルダへアクセスし、ファイルを転送する（共有サーバへのアクセスには自分のネットワークドライブを開き、近傍に配置した端末を探し出す必要がある）ことが知られている。これによれば、近傍に配置された端末間でもあるにも拘らず、ファイル転送をするのに、様々な複雑な操作をしなければならなかった。
【０００３】
【特許文献１】特開２００３−９９６０９
【特許文献２】特開平９−８１４４０
【発明の開示】
【発明が解決しようとする課題】
【０００４】
本発明は、マウスを含むポインティング装置により、様々な複雑な操作をすることなくパーソナルコンピュータから成る端末間のファイル転送システムを提供することを目的とする。
【課題を解決するための手段】
【０００５】
上記の課題を解決するために、本願の請求項１記載の発明は、画面に表示されるポインタを移動させ釦を操作して指示をする入力装置のマウスと、当該マウスと接続する表示画面を有するパーソナルコンピュータからなる第１の端末と、当該第１の端末と接続するネットワークと、当該ネットワークに接続し、当該ネットワークを介して当該第１の端末と接続する表示画面を有するパーソナルコンピュータからなる第２の端末とを備え、当該第１の端末のファイルを当該マウスにより当該第２の端末に当該ネットワークを介して転送するシステムにおいて、当該第２の端末は、当該マウスを検出するマウス検出部と、当該第２の端末のファイル転送先属性情報を当該マウスに無線送信する送信部を有し、当該マウスは、第２の端末から無線により当該第２の端末のファイル転送先属性情報を受信する受信部と、当該受信部で受信する当該第１の端末から当該第２の端末のファイル転送先属性情報に基づき当該ネットワークを介して当該第２の端末へ当該第１の端末のファイルを転送する指示をする転送指示部とを有することを特徴とする。
【０００６】
また、本願の請求項２記載の発明は、入力装置のマウスと、当該マウスと接続する第１の端末と、当該第１の端末と接続するネットワークと、当該ネットワークを介して当該第１の端末と接続する第２の端末とを備え、当該第１の端末のファイルを当該マウスにより当該第２の端末に当該ネットワークを介して転送するシステムにおいて、当該第２の端末は、当該マウスを検出するマウス検出部と、当該第２の端末のファイル転送先属性情報を当該マウスに無線送信する送信部を有し、当該マウスは、第２の端末から無線により当該第２の端末のファイル転送先属性情報を受信する受信部と、当該受信部で受信する当該第１の端末から当該第２の端末のファイル転送先属性情報に基づき当該ネットワークを介して当該第２の端末へ当該第１の端末のファイルを転送する指示をする転送指示部とを有することを特徴とする。
【０００７】
また、本願の請求項３記載の発明は、画面に表示されるポインタを移動させ釦を操作して指示をする入力装置のポインティング装置と、当該ポインティング装置及び表示画面を有するパーソナルコンピュータからなる第１の端末と、当該第１の端末と接続するネットワークと、当該ネットワークに接続し、当該ネットワークを介して当該第１の端末と接続する表示画面を有するパーソナルコンピュータからなる第２の端末とを備え、当該第１の端末のファイルを当該ポインティング装置により当該第２の端末に当該ネットワークを介して転送するシステムにおいて、当該第２の端末は、当該ポインティング装置を検出するポインティング装置検出部と、当該第２の端末のファイル転送先属性情報を当該ポインティング装置に無線送信する送信部を有し、当該ポインティング装置は、第２の端末から無線により当該第２の端末のファイル転送先属性情報を受信する受信部と、当該受信部で受信する当該第１の端末から当該第２の端末のファイル転送先属性情報に基づき当該ネットワークを介して当該第２の端末へ当該第１の端末のファイルを転送する指示をする転送指示部とを有することを特徴とするファイル転送システム。
【発明の効果】
【０００８】
本発明によれば、第１の端末から第２の端末に当該第１の端末のファイルを転送する際、複雑なファイル転送先の第２の端末の検索等は必要なく、マウスその他のポインティング装置の第１の釦（左ボタン）の押下により転送するファイルの選択をし、当該第１の釦を押下したまま当該ポインティング装置を第２の端末近傍への移動し、当該第１の釦を離す操作（ドラックとドロップ、drag & drop）をするだけで、簡単にファイル転送することができる。
【発明を実施するための最良の形態】
【０００９】
以下、本発明の実施の形態を図面に基づいて説明する。
【００１０】
図１は、本発明の一実施例であるファイル転送システムの全体構成の概略ブロック図である。
【００１１】
図１において、１１０はパーソナルコンピュータからなる第１の端末、１１１は第１の端末１１０の表示画面で、液晶ディスプレイ（ＬＣＤ）から成り、１１２は第１の端末１１０における無線通信装置、１２０は第１の端末１１０の入力装置としてのポインティング装置であるマウス、このポインティング装置にはノート型パソコン本体に備えられているトラックパッド（タッチパッド）、トラックボール等を含むものであり、１３０はマウス１２０内に配置されている無線通信装置である。
【００１２】
また、１４０は第１の端末１１０と接続されているインターネット、イントラネットその他のネットワークである。
【００１３】
また、１５０はパーソナルコンピュータから成る端末第２の端末、１５１は第２の端末１５０の表示画面で、液晶ディスプレイ（ＬＣＤ）から成り、１５２は第２の端末１１０における無線通信装置、１６０は第２の端末１５０の入力装置としてのポインティング装置であるマウス、このポインティング装置にはトラックボール及びパーソナルコンピュータ本体（ノートパソコン）に備えられているトラックパッド（タッチパッド）等を含むものであり、１７０はマウス１６０内に配置されている無線通信装置で、１８０は第１の端末１１０のマウス１２０内に配置されている無線通信装置１３０と第２の端末１５０の無線通信装置１５２との無線通信回線を示す。
【００１４】
第１の端末１１０と第２の端末１５０及びマウス１２０とマウス１６０は同様の構成となっている。
【００１５】
図２は、本発明の一実施例である第２の端末のブロック図を示したものであり、第１の端末も同様のブロックと成っている。
【００１６】
図２において、１５０は、第２の端末、１５１は第２の端末１５０の表示画面、１５２は第２の端末１１０における無線通信装置、１５３はファイル転送先をマウス１２０に送信する無線通信装置１５２内におけるファイル転送先情報送信部、１５４はマウス１２０の無線通信装置１３０からの電波を受信して無線通信装置１５２内におけるマウス１２０を検出するマウス検出部（ポインティング装置検出部）、１５７は第２の端末１５０の主記憶装置部、１５８は補助記憶装置部を示す。
【００１７】
図３は、本発明の一実施例であるマウスの概略ブロック図である。
【００１８】
図３において、１２０は、画面に表示されるポインタを移動させ釦を操作して指示をする入力装置としてのマウス、１２１は第1の釦（いわゆる左ボタン）、１２２は第２の釦（いわゆる右ボタン）、１３０は無線通信装置で第２の端末１５０の無線通信装置１５２と通信する。
【００１９】
無線通信装置１３０は、マウスの位置・操作情報送信部１３１、第２の端末１５０のファイル転送先情報送信部１５３からの電波により送信されるファイル転送先情報を受信するファイル転送先情報受信部１３２、第２の端末１５０のＩＰアドレス情報、ドライブ情報及びフォルダ情報を記録する記憶装置１３３、記憶装置１３３へデータをコピー（記録）制御する制御部１３４を備えている。１３５は位置センサーである。
【００２０】
図４は、本発明の一実施例であるマウス１２０に内蔵されているマウス無線通信装置１３０の記憶装置１３３の磁気記録フォーマットを示した図である。
【００２１】
図４において、４００はマウス１２０の記憶装置１３３の磁気記録フォーマット、４０１は第２の端末１５０のＩＰアドレス情報、４０２は第２の端末１５０のドライブ情報、４０３は第２の端末１５０のファイル情報を示す。
【００２２】
図５は、本発明の一実施例であるマウス（ポインティング装置）１２０による第１の端末のファイル属性情報即ち、第１の端末１１０のＩＰアドレス情報、ドライブ名情報、ファイル名情報の取得フロー図である。
【００２３】
図５において、５０１はマウス１２０の第１の釦１２１押下という情報を取得する第１の釦押下情報受信ステップ、５０２は第１の釦を押下した際、ファイルを掴んでいるか、もしくは、ファイルを掴んでいないか(画面上のファイルのないところで第１のボタンを押下した場合)という情報を受信・判定するファイル選択有無判定処理ステップ、５０３はポインタ座標の計算をし、第１の端末１１０のメモリ（図２の主記憶装置部１５７に相当する。）にファイルの属性情報を格納するファイル属性情報取込ステップ、５０４はマウス１２０の第１の釦１２１を押下の状態から離した場合の情報処理ステップ、５０５はマウスポインタで掴んでいたファイルを離した場合、端末１１０のメモリからファイルの属性情報を消すデータ開放ステップを示す。
【００２４】
図６は、本発明の一実施例であるマウス（ポインティング装置）による第２の端末のファイル転送先の属性情報取得フロー図である。
【００２５】
図６において、６０１はマウス１２０接近情報受信し、ディスプレイ（画面表示部）１５１にポインタを表示するデータ受信ステップ、６０２はマウス１２０の第１の釦１２１を押下の状態から離した情報判定処理ステップ、６０３はポインタ座標の計算をし、第２の端末１５０のメモリの主記憶装置部１５７にファイルの属性情報を格納するファイル属性情報取込ステップ、６０４はファイルの属性情報をメモリ１５７からマウス１２０内のメモリ（記憶装置）１３３へ転送するファイル転送先属性情報データ送信ステップを示す。
【００２６】
図７は、本発明の一実施例である第１の端末から第２の端末へのファイル転送処理フロー図である。
【００２７】
図７において、７０１はマウス１２０が第２の端末１５０無線通信装置１５２のファイル転送先情報送信部１５３から送信される転送先属性情報をマウス１２０に内蔵される第２端末からのファイル転送先情報受信部１３２により受信し、第１の端末１１０が転送先属性情報を受信するデータ受信ステップ、７０２は第２の端末１５０と接続可能か否かの判定ステップ、７０３は第２の端末１５０の指定フォルダへFＴＰ（File Transfer Protocol、ネットワークでファイルの転送機能を持つプロトコル）でのファイル転送処理ステップ、７０４はエラーダイアログ表示をするエラー処理ステップを示す。
【００２８】
次に、図１から図７に基づき、マウスにより第１の端末から第２の端末へのファイル転送について説明する。
【００２９】
第１の端末１１０と第２の端末１５０は、隣同士に配置されている。先ず、マウス１２０の操作による第１の端末１１０から第２の端末１５０へのファイル転送について述べる。図１の第１の端末の表示画面１１１に転送するファイルを表示する。第１の端末のマウス１２０の第１の釦（左ボタン）を押下し、転送するファイルを選択する。次に、マウス１２０の第１の釦を押下したままの状態で、第２の端末１５０の近くまでマウス１２０を移動する。
【００３０】
すると、でマウス１２０のマウス無線通信装置１３０と第２の端末１５０の無線通信装置１５２との通信により第２の端末１５０の表示画面（例えば、デスクトップ）上にポインタ及びファイルを示す画像が表示される。この状態でマウス１２０の第１の釦１２１を離す（ドラックとドロップ）と、第２の端末の表示画面１５１（デスクトップ）上に転送したいファイルが転送される。
【００３１】
次に、マウス１２０による第１の端末１１０と第２の端末１５０間の転送ファイルの属性情報取込について説明する。
【００３２】
図５のファイル選択有無判定処理ステップ５０２により、マウス１２０の第１の釦１２１押下によるファイル選択「無」（ＮＯ）の場合は、「ＮＯ」側に分岐し、ファイル選択「有」になるまで待ち続ける。
【００３３】
次に、マウス１２０の第１釦１２１押下によるファイル選択「有」である場合について説明する。
【００３４】
ファイル選択「有」である場合、「ＹＥＳ」側のファイル属性情報取込処理ステップ５０３が実行され、マウスポインタがさしている表示画面（ディスプレイ）１１１上の座標の計算が行われマウスポインタが指しているファイルの属性情報が第１の端末１１０のメモリ（ファイルの属性情報）へ格納される。その後、マウス１２０の第１の釦１２１を離した情報受信処理ステップ５０４により「第１の釦を離した」場合、「ＹＥＳ」側のファイルの属性情報処理ステップ５０５により第１の端末１１０のメモリからファイルの属性情報はクリア（削除）される。
【００３５】
次に、マウス１２０によるファイルの第２の端末１５０の転送先属性情報取得処理について説明する。
【００３６】
図６のマウス１２０第１の釦１２１を離したか否かの情報判定処理ステップ６０２により、マウス１２０の第１の釦１２１押下を離していない場合「ＮＯ」側に分岐し、第１の釦１２１押下を離すまで待ち続ける。
【００３７】
次に、マウス１２０の第１の釦の押下を離した場合について説明する。
マウス１２０の第１の釦の押下を離した場合は「ＹＥＳ」側に分岐し、ファイル転送先属性情報取込処理ステップ６０３が実行され、マウスポインタが指している表示画面１５１上の座標の計算が行われ、マウスポインタが指しているファイル転送先属性情報が第２の端末のメモリ１１８（転送先属性情報）へ格納される。その後、ファイル転送先属性情報送信処理ステップ６０４によりファイル転送先属性情報がマウス１２０へ送信される。
【００３８】
次ぎに、マウス１２０による第1の端末１１０から第２の端末１５０への転送ファイルの転送について説明する。
【００３９】
図７の転送先属性情報受信ステップ７０１によりマウス１２０からファイル転送先属性情報、第１の端末１１０のメモリー（図２の主記憶装置部１５７に相当）からファイル属性情報を取得する。その後、ファイル転送判定処理ステップ７０２により第２の端末１５０とネットワーク１４０が接続可能となった場合、「ＹＥＳ」側に分岐し、ファイル転送処理ステップ７０３により、第２の端末１５０の指定ディレクトリの指定フォルダへファイル転送を行い、ファイル転送処理を終了する。
【００４０】
上述の如く、本発明のファイル転送システムによれば、第１の端末１１０から第２の端末１５０に第１の端末１５０のファイルを転送する際、複雑なファイル転送先の第２の端末の検索等は必要なく、マウス１２０の第１の釦（左ボタン）１２１の押下による転送をするファイルの選択、マウス１２０の第２の端末１５０近傍への移動及び第１の釦１２１を離す操作（ドラックとドロップ）をするだけで、簡単にファイル転送をすることができる。
【図面の簡単な説明】
【００４１】
【図１】本発明のファイル転送システムの全体構成の概略ブロック図
【図２】本発明の第２の端末のブロック図
【図３】本発明のマウスの概略ブロック図
【図４】本発明のマウスの記憶装置の磁気記録フォーマットを示した図
【図５】本発明の第1の端末のファイル属性情報取得フロー図
【図６】本発明の第２の端末のファイル転送先属性情報取得フロー図
【図７】本発明の第1の端末から第２の端末へのファイル転送処理フロー図
【符号の説明】
【００４２】
１１０：第１の端末
１１１：表示画面
１１２：無線通信装置
１２０：マウス
１２１：第１の釦
１３０：無線通信装置
１３１：位置・操作情報送信部
１３２：第２端末からのファイル転送先情報受信部
１３３：記憶部
１３４：制御部
１３５：位置センサー
１４０：ネットワーク
１４１：ネットワーク接続用通信回線
１５０：第２の端末
１５１：表示画面
１５２：無線通信装置
１５３：ファイル転送先情報送信部
１５４：マウス検出部
１５５：制御部
１５６：電源部
１５７：主記憶装置部
１５８：補助記憶装置部
１６０：第２のマウス
１７０：無線通信装置
１８０：無線通信回線
４００：マウスの記憶装置の磁気記録フォーマット
４０１：第２の端末のＩＰアドレス情報
４０２：第２の端末のドライブ情報
４０３：第２の端末のファイル情報
５０２：マウスの第１の釦押下情報受信ステップ、
５０２：ファイル選択有無判定処理ステップ
５０３：ファイル属性情報取込ステップ
５０４：情報処理ステップ
５０５：データ開放ステップ
６０１：データ受信ステップ
６０２：情報判定処理ステップ
６０３：ファイル属性情報取込ステップ
６０４：データ送信ステップ
７０１：データ受信ステップ
７０２：接続可能判定ステップ
７０３：ファイル転送処理ステップ
７０４：エラー処理ステップ
【図１】
2009015681.tif 000003
【図２】
2009015681.tif 000004
【図３】
2009015681.tif 000005
【図４】
2009015681.tif 000006
【図５】
2009015681.tif 000007
【図６】
2009015681.tif 000008
【図７】
2009015681.tif 000009